(57)【要約】【課題】例えば、制御室の保守作業等がより容易に行われやすい新規な構成のスイッチギヤを得る。【解決手段】実施形態のスイッチギヤは、例えば、筐体と、扉と、制御ユニットと、を備える。筐体には、開口部が設けられる。扉は、開口部を開閉可能に覆う。制御ユニットは、筐体に引出可能に支持され、扉が開位置にある状態で、開口部から筐体の外側に引出可能な制御室が設けられる。【選択図】図３
2018182862.tif 000002
【特許請求の範囲】
【請求項１】
開口部が設けられた筐体と、
前記開口部を開閉可能に覆う扉と、
前記筐体に引出可能に支持され、前記扉が開位置にある状態で、前記開口部から前記筐体の外側に引出可能な制御室が設けられた、制御ユニットと、
を備えた、スイッチギヤ。
【請求項２】
前記制御ユニットは、前記筐体に着脱可能に支持されうる、請求項１に記載のスイッチギヤ。
【請求項３】
遮断器室と、前記遮断器室よりも下段に位置する制御室と、を含む開口部が設けられた筐体と、
前記開口部を開閉可能に覆う扉と、
前記筐体内に設けられ、前記遮断器室と前記制御室とを仕切り、前記扉が開位置にある状態で、少なくとも一部が前記筐体に対して着脱可能に構成された仕切壁と、
を備えた、スイッチギヤ。
【請求項４】
前記仕切壁は、
前記筐体に固定された第一の部分と、
前記第一の部分よりも前記扉側に位置され、前記第一の部分に対して着脱可能な第二の部分と、
を有した、請求項３に記載のスイッチギヤ。
【請求項５】
前記第一の部分には、前記遮断器室の部品が支持されている、請求項４に記載のスイッチギヤ。
【請求項６】
前記第二の部分は、前記仕切壁の前記扉側の端部の少なくとも一部を含む、請求項４または５に記載のスイッチギヤ。
【発明の詳細な説明】
【技術分野】
【０００１】
本発明の実施形態は、スイッチギヤに関する。
【背景技術】
【０００２】
従来、筐体内に制御室が設けられたスイッチギヤが、知られている。
【先行技術文献】
【特許文献】
【０００３】
【特許文献１】特開昭６２−１１４４０４号公報
【発明の概要】
【発明が解決しようとする課題】
【０００４】
この種のスイッチギヤでは、例えば、制御室の保守作業等がより容易に行われやすい新規な構成が得られれば、好ましい。
【課題を解決するための手段】
【０００５】
実施形態のスイッチギヤは、例えば、筐体と、扉と、制御ユニットと、を備える。筐体には、開口部が設けられる。扉は、開口部を開閉可能に覆う。制御ユニットは、筐体に引出可能に支持され、扉が開位置にある状態で、開口部から筐体の外側に引出可能な制御室が設けられる。
【図面の簡単な説明】
【０００６】
【図１】図１は、第１実施形態のスイッチギヤの例示的かつ模式的な斜視図である。
【図２】図２は、第１実施形態のスイッチギヤの制御ユニットが収納位置にある状態での例示的かつ模式的な断面図である。
【図３】図３は、第１実施形態のスイッチギヤの制御ユニットが引出位置にある状態での例示的かつ模式的な断面図である。
【図４】図４は、第１実施形態のスイッチギヤの制御ユニットが筐体から取り外された状態での例示的かつ模式的な斜視図である。
【図５】図５は、第２実施形態のスイッチギヤの制御ユニットが収納位置にある状態での例示的かつ模式的な断面図である。
【図６】図６は、第２実施形態のスイッチギヤの制御ユニットが引出位置にある状態での例示的かつ模式的な断面図である。
【図７】図７は、第３実施形態のスイッチギヤの例示的かつ模式的な断面図である。
【図８】図８は、第３実施形態のスイッチギヤの仕切壁が筐体から取り外された状態での例示的かつ模式的な断面図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、互いに直交する三方向が定義されている。Ｘ方向は、スイッチギヤ１の前後方向に沿い、Ｙ方向は、スイッチギヤ１の幅方向に沿い、Ｚ方向は、スイッチギヤ１の上下方向に沿う。
【０００９】
＜第１実施形態＞
図１，２に示されるように、スイッチギヤ１は、例えば、筐体２と、上段機器３と、下段機器４と、制御ユニット５と、を備えている。スイッチギヤ１は、上段機器３や、下段機器４、制御ユニット５等の複数の収容機器が金属製の筐体２内に収容された、所謂金属閉鎖形スイッチギヤである。また、スイッチギヤ１は、上段機器３と下段機器４とが多段積みされた二回線受電構成の金属閉鎖形スイッチギヤである。なお、スイッチギヤ１は、この例には限定されない。筐体２は、盤や、閉鎖箱等とも称されうる。
【００１０】
図１に示されるように、筐体２は、例えば、Ｙ方向に短い偏平な直方体状の箱型に構成されている。筐体２は、複数の壁部２ａ〜２ｆを有する。壁部２ａおよび壁部２ｂは、いずれも、Ｚ方向と直交する方向（ＸＹ平面）に沿って延びており、Ｚ方向に間隔をあけて互いに平行に設けられている。壁部２ａは、天壁部や上壁部等と称され、壁部２ｂは、底壁部や下壁部等と称される。
【００１１】
また、壁部２ｃおよび壁部２ｅは、いずれも、Ｘ方向と直交する方向（ＹＺ平面）に沿って延びており、Ｘ方向に間隔をあけて互いに平行に設けられている。壁部２ｃは、前壁部等と称され、壁部２ｅは、後壁部等と称される。
【００１２】
また、壁部２ｄおよび壁部２ｆは、いずれも、Ｙ方向と直交する方向（ＸＺ平面）に沿って延びており、Ｙ方向に間隔をあけて互いに平行に設けられている。壁部２ｄ，２ｆは、側壁部や周壁部等と称される。
【００１３】
また、筐体２は、複数の部品（分割体）が組み合わせられて構成されている。具体的には、筐体２は、例えば、収容部２１と、複数の扉２２と、を有する。収容部２１は、少なくとも、壁部２ａと、壁部２ｂと、壁部２ｄ〜２ｆと、を有する。また、扉２２は、少なくとも、壁部２ｃを有する。図２，３に示されるように、収容部２１には、壁部２ａ，２ｂ、および壁部２ｄ〜２ｆによって囲まれ、Ｘ方向に向けて開放された作業用の開口部２ｒが設けられている。
【００１４】
扉２２は、収容部２１のＸ方向の端部に位置されている。扉２２は、収容部２１に、扉２２のＹ方向の反対方向の端部（Ｚ方向）に沿って延びる回転軸を有したヒンジ部を介して、回転可能に支持されている。扉２２は、回転軸回りに回転することで、開口部２ｒを閉じる閉位置Ｐ１１（図２参照）と、開口部２ｒを開放する開位置Ｐ１２（図３参照）との間で、移動可能である。
【００１５】
また、収容部２１の内部には、複数の仕切板２３〜２９が設けられている。仕切板２３〜２９のうち、例えば仕切板２６〜２９は、収容部２１に固定されている。また、残りの仕切板２３〜２５のうち少なくとも仕切板２４は、収容部２１に引出可能に支持されている。そして、筐体２内には、仕切板２３〜２９によって仕切られた複数の室としての上段遮断器室１１や、上段ケーブル室１２、上段母線室１３、下段遮断器室１４、下段ケーブル室１５、下段母線室１６、ユニット収容室１７等が設けられている。仕切板２３〜２９は、仕切壁の一例である。また、上段遮断器室１１および下段遮断器室１４は、遮断器室の一例である。
【００１６】
仕切板２６は、壁部２ｅ（ＹＺ平面）に沿って延びている。図３，４に示されるように、仕切板２６は、壁部２ｅと扉２２との間に位置され、壁部２ａと壁部２ｂとの間、および壁部２ｄと壁部２ｆとの間に渡っている。仕切板２６は、収容部２１の内部をＸ方向に仕切っている。
【００１７】
上段遮断器室１１および下段遮断器室１４は、仕切板２６よりも扉２２側に位置されている。また、上段ケーブル室１２、上段母線室１３、下段ケーブル室１５、および下段母線室１６は、仕切板２６よりも壁部２ｅ側に位置されている。すなわち、仕切板２６は、上段遮断器室１１と上段ケーブル室１２および上段母線室１３とをＸ方向に仕切るとともに、下段遮断器室１４と下段ケーブル室１５および下段母線室１６とをＸ方向に仕切っている。
【００１８】
仕切板２７〜２９は、それぞれ、Ｙ方向（図２，３）の視線では、略Ｌ字状に構成されている。仕切板２７は、壁部２ｅと仕切板２６との間に位置され、壁部２ａと仕切板２６とに接続されている。また、仕切板２７は、壁部２ｄと壁部２ｆとの間に渡って設けられうる。これにより、仕切板２７は、上段ケーブル室１２と上段母線室１３とを仕切っている。
【００１９】
仕切板２９は、壁部２ｅと仕切板２６との間に位置され、壁部２ｂと仕切板２６とに接続されている。また、仕切板２９は、壁部２ｄと壁部２ｆとの間に渡って設けられうる。これにより、仕切板２９は、下段ケーブル室１５と上段ケーブル室１２とを仕切るとともに、下段ケーブル室１５と下段母線室１６とを仕切っている。
【００２０】
仕切板２８は、壁部２ｅと仕切板２６との間に位置され、仕切板２９の上壁と仕切板２６とに接続されている。また、仕切板２８は、壁部２ｄと壁部２ｆとの間に渡って設けられうる。これにより、仕切板２８は、下段母線室１６と上段ケーブル室１２とを仕切るとともに、下段母線室１６と下段ケーブル室１５とを仕切っている。
【００２１】
下段遮断器室１４、下段ケーブル室１５、および下段母線室１６は、上段遮断器室１１、上段ケーブル室１２、および上段母線室１３を有する上段電気系統よりも下段に位置されている。換言すると、上段電気系統は、下段遮断器室１４、下段ケーブル室１５、および下段母線室１６を有する下段電気系統の上に積まれている。
【００２２】
仕切板２３〜２５は、それぞれ、壁部２ａ，２ｂ（ＸＹ平面）に沿って延びている。仕切板２３〜２５は、いずれも、壁部２ａと壁部２ｂとの間に位置され、仕切板２６と扉２２との間、および壁部２ｄと壁部２ｆとの間に渡っている。仕切板２３〜２５は、Ｚ方向に互いに間隔をあけて位置されている。仕切板２３〜２５は、それぞれ、収容部２１の内部をＺ方向に仕切っている。
【００２３】
仕切板２３は、上段遮断器室１１とユニット収容室１７とをＺ方向に仕切り、仕切板２４は、ユニット収容室１７と下段遮断器室１４とをＺ方向に仕切っている。また、仕切板２５は、下段遮断器室１４と壁部２ｂの上側のスペースとをＺ方向に仕切っている。換言すると、下段遮断器室１４は、壁部２ｂから嵩上げされている。
【００２４】
上段遮断器室１１は、壁部２ａと仕切板２３との間に設けられ、壁部２ａ，２ｄ，２ｆ、仕切板２３，２６、および扉２２によって囲まれている。ユニット収容室１７は、仕切板２３と仕切板２４との間に設けられ、壁部２ｄ，２ｆ、仕切板２３，２４，２６、および扉２２によって囲まれている。また、下段遮断器室１４は、仕切板２４と仕切板２５との間に設けられ、壁部２ｄ，２ｆ、仕切板２４〜２６、および扉２２によって囲まれている。
【００２５】
上段機器３は、例えば、上段遮断器３１と、上段上部断路部３２と、上段下部断路部３３と、上段主回路導体３４と、上段母線３５と、を含む。なお、上段機器３は、他の機器を含んでもよい。
【００２６】
上段遮断器３１は、例えば真空遮断器（ＶＣＢ）であり、上段遮断器室１１に収容されている。上段上部断路部３２は、仕切板２６に固定され、上段遮断器３１の上部導体３１ａに接続される。また、上段下部断路部３３は、仕切板２６に固定され、上段遮断器３１の下部導体３１ｂに接続される。
【００２７】
上段主回路導体３４は、上段ケーブル室１２に収容され、上段下部断路部３３に接続される。また、上段主回路導体３４は、例えば略Ｌ字状に構成されており、電力ケーブルが接続されうる。上段母線３５は、上段母線室１３に収容され、上段上部断路部３２に接続される。上段母線３５は、例えば、隣接する他の盤に接続される。
【００２８】
下段機器４は、例えば、下段遮断器４１と、下段上部断路部４２と、下段下部断路部４３と、下段主回路導体４４と、下段母線４５と、を含む。なお、下段機器４は、他の機器を含んでもよい。
【００２９】
下段遮断器４１は、例えば真空遮断器（ＶＣＢ）であり、下段遮断器室１４に収容されている。下段上部断路部４２は、仕切板２６に固定され、下段遮断器４１の上部導体４１ａに接続される。また、下段下部断路部４３は、仕切板２６に固定され、下段遮断器４１の下部導体４１ｂに接続される。
【００３０】
下段主回路導体４４は、下段ケーブル室１５に収容され、下段下部断路部４３に接続される。また、下段主回路導体４４は、例えば略Ｌ字状に構成されており、電力ケーブルが接続されうる。下段母線４５は、下段母線室１６に収容され、下段上部断路部４２に接続される。下段母線４５は、例えば、隣接する他の盤に接続される。
【００３１】
制御ユニット５は、例えば、収納ケース５１と、複数の制御部品５２〜５４と、を有している。図４にも示されるように、収納ケース５１は、複数の壁部５ａ〜５ｄを有する。壁部５ａおよび壁部５ｂは、いずれも、壁部２ｄ，２ｆ（ＸＺ平面）に沿って延びており、Ｙ方向に間隔をあけて互いに平行に設けられている。また、壁部５ｃは、壁部５ａ，５ｂのＸ方向の反対方向の端部間を接続し、仕切板２６（ＹＺ平面）に沿って延びている。
【００３２】
また、壁部５ｄは、壁部５ａ〜５ｃのＺ方向の反対方向の端部間を接続し、仕切板２４（ＸＹ平面）に沿って延びている。そして、収納ケース５１には、複数の壁部５ａ〜５ｄによって囲まれ、上方（Ｚ方向）および側方（Ｘ方向、前方）に向けて開放された制御室５５が設けられている。
【００３３】
図２，３に示されるように、制御室５５には、複数の制御部品５２〜５４が設置されている。制御部品５２は、例えば、操作スイッチや、計器、継電器等である。また、制御部品５３は、例えば、上段遮断器室１１用の制御回路や、配線等であり、制御部品５４は、例えば、下段遮断器室１４用の制御回路や、配線等である。
【００３４】
また、壁部５ｄは、仕切板２４に固定されている。すなわち、仕切板２４と制御ユニット５とは、一体で移動可能である。そして、仕切板２４は、壁部２ｄ，２ｆの内面に設けられた支持部２ｇに着脱可能に支持されている。二つの支持部２ｇは、互いにＹ方向に間隔をあけて設けられており、仕切板２４のＹ方向およびその反対方向の端部を支持する。また、二つの支持部２ｇは、それぞれ、Ｘ方向に沿って延びている。支持部２ｇは、レール等とも称されうる。
【００３５】
仕切板２４および制御ユニット５は、少なくとも、筐体２内に収納される収納位置Ｐ１（図２参照）と、収納位置Ｐ１からＸ方向に引き出される引出位置Ｐ２（図３参照）と、の間で移動可能である。制御室５５は、制御ユニット５が収納位置Ｐ１にある状態では、開口部２ｒ（ユニット収容室１７）内、すなわち筐体２の内側に位置される。また、制御室５５は、制御ユニット５が引出位置Ｐ２にある状態では、少なくとも一部が筐体２の外側に露出する。
【００３６】
また、仕切板２４には、つまみ部２４ａが設けられている。つまみ部２４ａは、仕切板２４のＸ方向の端部に位置され、仕切板２４から下方（Ｚ方向の反対方向）に僅かに突出している。よって、作業者は、つまみ部２４ａを掴んだ状態で仕切板２４を手前側（Ｘ方向）に引くことにより、容易に制御ユニット５を収納位置Ｐ１から引出位置Ｐ２に引き出すことができる。また、作業者は、引出位置Ｐ２からさらに仕切板２４を手前側（Ｘ方向）に引くことにより、制御ユニット５および仕切板２４を筐体２から取り外すことができる。
【００３７】
また、本実施形態では、制御ユニット５が収納位置Ｐ１（図２参照）にある状態では、制御室５５は、上段遮断器室１１および下段遮断器室１４とＺ方向に並んでいる。そして、上段遮断器室１１、下段遮断器室１４、および制御室５５のＸ方向の端部は、それぞれ開口部２ｒ（開口端）の少なくとも一部を構成している。このため、扉２２は、上段遮断器室１１、下段遮断器室１４、および制御室５５を開閉可能である。すなわち、扉２２が開放されると、上段遮断器室１１、下段遮断器室１４、および制御室５５がＸ方向に開放され、上段遮断器３１、下段遮断器４１、および制御部品５２〜５４が筐体２の外側に露出する。また、扉２２が閉じられると、上段遮断器室１１、下段遮断器室１４、および制御室５５が閉塞される。本実施形態では、上段遮断器室１１、下段遮断器室１４、および制御室５５のそれぞれに対応して設けられた三つの扉２２によって、各室を独立して開閉可能である。
【００３８】
また、扉２２は、それぞれ、ロック部２２ａを有する。ロック部２２ａは、例えば、鍵付きのレバーハンドルであり、扉２２を閉じられた状態に保持できる。このような構成により、本実施形態では、扉２２が閉位置Ｐ１１（図２参照）にある状態では、制御ユニット５の筐体２に対する移動が制限される。そして、扉２２が開位置Ｐ１２（図３参照）にある状態では、制御ユニット５の筐体２に対する移動、すなわち筐体２からの引き出しが許容される。
【００３９】
以上のように、本実施形態では、例えば、スイッチギヤ１は、開口部２ｒが設けられた筐体２と、開口部２ｒを開閉可能に覆う扉２２と、筐体２に引出可能に支持され、扉２２が開位置Ｐ１２にある状態で、開口部２ｒから筐体２の外側に引出可能な制御室５５が設けられた、制御ユニット５と、を備える。よって、本実施形態によれば、例えば、制御ユニット５によって、制御室５５を筐体２の外側に引き出すことができるため、制御室５５の保守作業等がより容易に行われやすい。
【００４０】
また、本実施形態では、例えば、制御ユニット５は、筐体２に着脱可能に支持されうる。よって、本実施形態によれば、例えば、制御ユニット５によって、制御室５５を筐体２から取り外すことができるようになるため、制御室５５の保守作業等がより一層容易に行われやすい場合がある。
【００４１】
また、本実施形態では、例えば、制御室５５は、Ｚ方向およびＸ方向に向けて開放されている。よって、本実施形態によれば、例えば、制御ユニット５が引出位置Ｐ２にある状態や筐体２から取り外された状態では、収納位置Ｐ１に位置された状態と比べて、制御室５５へのアクセスエリアが広がるため、制御室５５の保守作業等がより一層容易に行われやすい。
【００４２】
また、本実施形態では、例えば、制御室５５は、上段遮断器室１１および下段遮断器室１４のそれぞれとＺ方向に仕切られている。よって、本実施形態によれば、例えば、上段遮断器室１１、下段遮断器室１４、および制御室５５のそれぞれが仕切られているため、スイッチギヤ１の安全性が高まりやすく、ひいてはスイッチギヤ１がより安心して利用されうる。
【００４３】
＜第２実施形態＞
図５，６に示される実施形態のスイッチギヤ１Ａは、上記第１実施形態のスイッチギヤ１と同様の構成を備えている。よって、本実施形態によっても、上記第１実施形態と同様の構成に基づく同様の結果（効果）が得られる。
【００４４】
ただし、本実施形態では、例えば、図５，６に示されるように、複数の制御ユニット５，５Ａ，５Ｂが筐体２に着脱可能に支持されている点が、上記第１実施形態と相違している。制御ユニット５Ａ，５Ｂには、制御ユニット５と同様に、複数の壁部５ａ〜５ｄによって囲まれ、Ｚ方向およびＸ方向に向けて開放された制御室５５が設けられている。そして、本実施形態では、制御ユニット５Ａの制御室５５には、上段遮断器室１１用の制御部品５３が設置され、制御ユニット５Ｂの制御室５５には、下段遮断器室１４用の制御部品５４が設置されている。
【００４５】
また、制御ユニット５Ａは、仕切板３０に固定されている。仕切板３０は、Ｙ方向（図５，６）の視線では、略Ｌ字状に構成されており、壁部２ａと扉２２との間、および壁部２ｄと壁部２ｆとの間に渡って設けられうる。これにより、仕切板３０は、上段遮断器室１１と制御ユニット５Ａの制御室５５とを仕切っている。また、仕切板３０は、壁部２ｄ，２ｆの内面に設けられた略Ｌ字状の支持部２ｈに着脱可能（引出可能）に支持されている。支持部２ｈの横壁部は、仕切板３０をＸ方向に沿って移動可能に支持し、支持部２ｈの縦壁部は、仕切板３０のＸ方向の反対方向への移動を制限する。
【００４６】
また、制御ユニット５Ｂは、壁部２ｂに着脱可能（引出可能）に支持されている。制御ユニット５Ｂは、壁部２ｂと仕切板２５との間のスペースに収納可能である。また、制御ユニット５ＢのＸ方向の反対方向への移動は、壁部２ｄ，２ｆの内面に設けられた制限部２ｉによって制限されうる。
【００４７】
このように、本実施形態では、筐体２に複数の制御ユニット５，５Ａ，５Ｂが設けられているため、例えば、それぞれの制御室５５に制御部品５２〜５４を分散して設置することができる。よって、例えば、制御部品５２〜５４が密集して配置されるのが抑制され、ひいては制御室５５の保守作業等が、より容易に、より円滑に、あるいはより効率よく行われやすい。
【００４８】
＜第３実施形態＞
図７，８に示される実施形態のスイッチギヤ１Ｂは、上記第２実施形態のスイッチギヤ１Ａと同様の構成を備えている。よって、本実施形態によっても、上記第２実施形態と同様の構成に基づく同様の結果（効果）が得られる。
【００４９】
ただし、本実施形態では、例えば、図７，８に示されるように、仕切板２３，２５が筐体２に着脱可能に支持されている点が、上記第２実施形態と相違している。本実施形態では、三つの制御室５５Ａ〜５５Ｃは、それぞれ、筐体２の壁部２ａ，２ｂ，２ｄ，２ｆや、仕切板２３〜２５，３０、扉２２等によって囲まれている。換言すると、制御室５５Ａ〜５５Ｃは、筐体２に対して移動不能である。制御室５５Ａ〜５５Ｃは、それぞれ、開口部２ｒの少なくとも一部を構成している。仕切板２３は、中段の制御室５５Ａと上段遮断器室１１との間を仕切り、仕切板２５は、下段の制御室５５Ｂと下段遮断器室１４との間を仕切っている。
【００５０】
また、仕切板２３，２５は、それぞれ、第一の部分２３ａ，２５ａと、第二の部分２３ｂ，２５ｂと、を有している。第一の部分２３ａ，２５ａは、仕切板２３，２５のうち仕切板２６側、すなわち扉２２とは反対側に位置されており、上段遮断器３１および下段遮断器４１が設置されている。第一の部分２３ａ，２５ａは、壁部２ｄ，２ｆの内面に設けられた支持部２ｊ，２ｋに、例えば、ボルトやネジ等の結合具によって結合されている。上段遮断器３１および下段遮断器４１は、部品の一例である。
【００５１】
第二の部分２３ｂ，２５ｂは、仕切板２３，２５のうち第一の部分２３ａ，２５ａよりも扉２２側に位置されている。本実施形態では、第二の部分２３ｂ，２５ｂは、仕切板２３，２５の扉２２側の端部２３ｃ，２５ｃを含んでいる。第二の部分２３ｂ，２５ｂは、支持部２ｊ，２ｋに着脱可能に支持されている。なお、第二の部分２３ｂ，２５ｂは、例えば、ボルトやネジ等の結合具によって、支持部２ｊ，２ｋに着脱可能に結合されてもよい。
【００５２】
二つの支持部２ｊは、互いにＹ方向に間隔をあけて設けられており、仕切板２３のＹ方向およびその反対方向の端部を支持している。また、二つの支持部２ｋは、互いにＹ方向に間隔をあけて設けられており、仕切板２５のＹ方向およびその反対方向の端部を支持している。よって、第二の部分２３ｂ，２５ｂが筐体２から取り外された状態（図８）では、二つの支持部２ｊの間のスペースを介して、制御室５５Ａと上段遮断器室１１とが連通するとともに、二つの支持部２ｋの間のスペースを介して、制御室５５Ｂと下段遮断器室１４とが連通する。換言すると、制御室５５Ａ，５５Ｂの少なくとも一部が、上方（Ｚ方向）に開放される。
【００５３】
また、本実施形態では、壁部２ａのうち少なくとも上段の制御室５５Ｃと上方（Ｚ方向）に面した部分２ａ１が、壁部２ｄ，２ｆの内面に設けられた支持部２ｍに着脱可能に支持されている。なお、部分２ａ１は、例えば、ボルトやネジ等の結合具によって、支持部２ｍに着脱可能に結合されてもよい。本実施形態では、扉２２が開放されると、上段遮断器室１１、下段遮断器室１４、および制御室５５Ａ〜５５ＣのそれぞれがＸ方向に開放される。そして、第二の部分２３ｂ，２５ｂおよび部分２ａ１が筐体２から取り外されると、制御室５５Ａ〜５５Ｃの少なくとも一部が上方（Ｚ方向）にも開放される。
【００５４】
このように、本実施形態では、筐体２に制御室５５Ａ，５５Ｂの上方に面した仕切板２３，２５が着脱可能に支持されているため、例えば、制御室５５Ａ，５５Ｂの作業時に、仕切板２３，２５を筐体２から取り外すことにより、制御室５５Ａ，５５Ｂへのアクセスエリアを広げることができる。よって、例えば、制御室５５Ａ，５５Ｂの保守作業等が、より容易に行われやすい。
【００５５】
また、本実施形態では、例えば、仕切板２３，２５は、筐体２に固定された第一の部分２３ａ，２５ａと、第一の部分２３ａ，２５ａよりも扉２２側に位置され、第一の部分２３ａ，２５ａに対して着脱可能な第二の部分２３ｂ，２５ｂと、を有する。よって、本実施形態によれば、例えば、制御室５５Ａ，５５Ｂの作業時に、仕切板２３，２５のうち扉２２側の第二の部分２３ｂ，２５ｂを部分的に取り外して作業を行うことができる。よって、例えば、仕切板２３，２５の全体が筐体２に対して着脱可能に構成された場合と比べて、制御室５５Ａ，５５Ｂの保守作業等が、より円滑に、あるいはより効率よく行われやすい。
【００５６】
また、本実施形態では、例えば、第一の部分２３ａ，２５ａには、上段遮断器３１および下段遮断器４１が支持されている。よって、本実施形態によれば、例えば、制御室５５Ａ，５５Ｂの作業時に、上段遮断器３１および下段遮断器４１が支持された第一の部分２３ａ，２５ａとは別の第二の部分２３ｂ，２５ｂを部分的に取り外して作業を行うことができる。
【００５７】
また、本実施形態では、例えば、第二の部分２３ｂ，２５ｂは、仕切板２３，２５の扉２２側の端部２３ｃ，２５ｃの少なくとも一部を含んでいる。よって、本実施形態によれば、例えば、制御室５５Ａ，５５Ｂの作業時に、第二の部分２３ｂ，２５ｂを筐体２から取り外すことにより、制御室５５Ａ，５５Ｂへのアクセスエリアが扉２２側に向けて開放される。よって、例えば、第二の部分２３ｂ，２５ｂが端部２３ｃ，２５ｃを含まない場合と比べて、制御室５５Ａ，５５Ｂの保守作業等が、より一層容易に行われやすい。
【００５８】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００５９】
１，１Ａ，１Ｂ…スイッチギヤ、２…筐体、２ｒ…開口部、５，５Ａ，５Ｂ…制御ユニット、１１…上段遮断器室（遮断器室）、１４…下段遮断器室（遮断器室）、２２…扉、２３〜２５…仕切板（仕切壁）、２３ａ，２５ａ…第一の部分、２３ｂ，２５ｂ…第二の部分、２３ｃ，２５ｃ…端部、３１…上段遮断器（部品）、４１…下段遮断器（部品）、５５，５５Ａ〜５５Ｃ…制御室、Ｐ１１…閉位置、Ｐ１２…開位置。
【図１】
2018182862.tif 000003
【図２】
2018182862.tif 000004
【図３】
2018182862.tif 000005
【図４】
2018182862.tif 000006
【図５】
2018182862.tif 000007
【図６】
2018182862.tif 000008
【図７】
2018182862.tif 000009
【図８】
2018182862.tif 000010